(57)【特許請求の範囲】
【請求項１】
回転調整可能なランプを製造する方法であって、前記方法は、
２つのガイドスロットを有するシェルを成形することであって、前記ガイドスロットは前記シェルの円筒部において円周方向において延在する当該シェルの材料を有さない部分によって形成され、前記ガイドスロットは前記円筒部の周囲に沿って延在し、前記円筒部の高さに対して垂直であり、前記２つのガイドスロットは、前記シェルの前記円筒部上に一対の対向して配置されたガイドスロットを形成することと、
前記シェルを受け入れ、ランプソケットに接続するベースを提供することと、
前記ベースが前記ガイドスロットを囲むように前記シェルを前記ベース内に挿入することと、
前記シェルが前記ベース内に挿入されると、前記ガイドスロットの各々の内に突出するノッチを、前記ベース内に形成することとを含む方法であって、前記ノッチは、前記シェルが前記ベースに対して回転可能になるように、前記ガイドスロットに沿って移動可能である、
方法。
【請求項２】
前記ガイドスロットは約１８０度延在する、請求項１に記載の方法。
【請求項３】
追加の一対の対向して配置されたガイドスロットは、前記シェルの前記円筒部上に配置され、２対のガイドスロットは、前記円筒部の高さに沿って分離されている、請求項１又は２に記載の方法。
【請求項４】
前記シェルは射出成形される、請求項１乃至３の何れか一項に記載の方法。
【請求項５】
前記シェルを成形することは、前記シェルの第１の半部及び第２の半部を成形することを含む、請求項１乃至４の何れか一項に記載の方法。
【請求項６】
少なくとも１つの光源を有するキャリアを提供することと、
前記シェルが前記ベースに挿入される前に、前記シェルの前記第１の半部と前記第２の半部との間に前記キャリアを囲むことと
を更に含む、請求項５に記載の方法。
【請求項７】
前記光源は、固体照明装置である、請求項６に記載の方法。
【請求項８】
前記シェルは、前記ランプの縦軸に平行な平面内に接合部を含み、前記第１及び第２の半部は前記接合部に沿って互いに取り付けられている、請求項５乃至７の何れか一項に記載の方法。
【請求項９】
前記キャリアは湾曲部を含む周囲を有し、前記少なくとも１つの光源は前記キャリアの両側上の前記周囲の湾曲部に沿って配置された複数の光源であって、前記シェルの各半部は前記キャリアの前記周囲の前記湾曲部に沿って延在する中空リッジで囲まれた平坦な中央エリアを有する、請求項５乃至８の何れか一項に記載の方法。
【請求項１０】
ノッチを備え、ランプソケットに接続されるベースと、
前記ベースによって支持され２つのガイドスロットを備えたシェルと
を含み、
前記ガイドスロットは前記シェルの円筒部に配置され、前記ガイドスロットは、前記円筒部の周囲に沿って延在し、前記円筒部の高さに対して垂直であり、前記２つのガイドスロットは前記シェルの前記円筒部上に一対の対向して配置されたガイドスロットを形成し、
前記ノッチは、前記ガイドスロットの各々の内に突出し、前記シェルが前記ベースに対して回転可能になるように、前記ガイドスロットに沿って移動可能である、
回転調整可能なランプ。
【請求項１１】
前記シェルは、前記シェルの円筒部に配置された４つのガイドスロットを有し、前記ガイドスロットの各々は、前記円筒部の周囲に沿って延在し、前記円筒部の高さに対して垂直であって、前記４つのガイドスロットは対向して配置された第１及び第２の対のガイドスロットを形成し、２つの対は前記円筒部の高さに沿って分離されている、請求項１０に記載のランプ。
【請求項１２】
前記シェルは第１の半部及び第２の半部を含み、前記第１及び第２の半部はキャリアの両側に配置された複数の光源を有するキャリアを囲む、請求項１０又は１１に記載のランプ。
【発明の詳細な説明】
【技術分野】
【０００１】
本開示は、回転調整可能なランプ及びそのようなランプを製造するための方法に関する。
【背景技術】
【０００２】
今日のランプは様々な形状をしている。これは特に、従来の白熱技術を用いて達成するのが困難な形状のランプの製造を容易にする固体照明（ＳＳＬ）技術に基づくランプに当てはまる。多くの創造的かつ効果的な照明ソリューションを可能にする一方で、従来の梨状の形状を持たないランプの使用には何らかの特別な配慮が必要である。
【０００３】
ランプは通常、ランプを電源に接続するソケット内にねじ込まれるように設計されている。完全にねじ込まれた非回転対称ランプの回転方向は、ランプが最適な照明を提供するために調整されなければならない場合がある。例えば、空間内の光の均一な拡散のために、実質的に平坦なランプを近くの壁と整列させる必要があり得る。方向性のあるランプを最大限に活用するためには、正確な回転位置決めはもちろん特に重要である。電気接続を破壊することなくＬＥＤ装置の回転調整を可能にする電球ベースの例が、米国特許第８，１４７，２６７  Ｂ２号明細書に開示されている。ベースは、ＬＥＤ装置の取付部に取り付けられたタブを受けるための、タブがスロットの端部に達するまで回転することができるスロットを有する。
【０００４】
回転調整可能なランプの製造は、費用対効果が高くシンプルであることが望ましい。これらの点で、既存の製造方法を改善できる。
【発明の概要】
【発明が解決しようとする課題】
【０００５】
本開示の一般的な目的は、電気的に切断されることなく回転調整されることが可能なランプを製造するための改良された方法又は代替の方法を提供することである。この方法の費用対効果及びシンプルさは、特に興味深い側面である。
【０００６】
本発明は、独立請求項によって定義される。実施形態は、従属請求項、明細書及び図面に記載される。
【０００７】
第１の態様によれば、回転調整可能なランプを製造する方法が提供される。この方法は、ガイドスロットを有するシェルを成形することと、シェルを受け入れ、ランプソケットに接続するベースを提供することと、ベースがガイドスロットを囲むようにシェルをベース内に挿入することと、シェルがベース内に挿入されると、ガイドスロット内に突出するノッチをベース内に形成することとを含む方法であって、ノッチは、シェルがベースに対して回転可能になるように、ガイドスロットに沿って移動可能である。
【０００８】
この方法は、電気的に切断されることなく回転調整が可能なランプを製造する費用対効果の高い方法を提供する。この方法は、従来のツール及び技術を使用して実施できる。
【０００９】
ガイドスロットはシェルの円筒部内に配置され得、ガイドスロットは円筒部の円周に沿って延在し、円筒部の高さに垂直である。ガイドスロットは約１８０度にわたって延在し得る。シェルは追加のガイドスロットを有し得、円筒部の２つのガイドスロットは、シェルの円筒部上に一対の対向して配置されたガイドスロットを形成する。追加の一対の対向して配置されたガイドスロットは、シェルの円筒部上に配置され得、２対のガイドスロットは、円筒部の高さに沿って分離される。
【００１０】
シェルは射出成形され得る。シェルの成形は、シェルの第１の半部及び第２の半部を成形することを含み得る。ガイドスロットのシンプルなデザインにより、アンダーカットのない低コストの形を使用して半部を成形できるため、これはシンプルで迅速かつ費用対効果の高い製造方法を可能にし得る。
【００１１】
この方法は、少なくとも１つの光源を有するキャリアを提供することと、シェルがベースに挿入される前に、シェルの第１の半部と第２の半部との間にキャリアを囲むこととを含み得る。光源は、ＳＳＬ装置であり得る。光源は、半導体発光ダイオード、有機発光ダイオード、ポリマー発光ダイオード又はレーザダイオードであり得る。キャリアは湾曲部を含む周囲を有し得、少なくとも１つの光源はキャリアの両側上の周囲の湾曲部に沿って配置された複数の光源であって、シェルの各半部はキャリアの周囲の湾曲部に沿って延在する中空リッジで囲まれた平坦な中央エリアを有する。シェルは、ランプの縦軸に平行な平面内に接合部を含み得、第１及び第２の半部は、接合部に沿って互いに取り付けられている。
【００１２】
回転調整可能なランプは、上述の代替方法のいずれかによって製造され得る。
【００１３】
第２の態様によれば、回転調整可能なランプが提供される。ランプは、ノッチが提供されランプソケットに接続するベースと、ベースによって支持されガイドスロットを提供されたシェルとを含む。ノッチは、ガイドスロット内に突出し、シェルがベースに対して回転可能になるように、ガイドスロットに沿って移動可能である。ガイドスロットは、約１８０度にわたって延在し得る。
【００１４】
第２の態様は、第１の態様と同一又は同様の技術的効果を提供し得る。
【００１５】
シェルは、シェルの円筒部に配置された４つのガイドスロットを有し得、ガイドスロットの各々は、円筒部の周囲に沿って延在し、円筒部の高さに対して垂直である。４つのガイドスロットは、対向して配置された第１及び第２の対のガイドスロットを形成し得、２つの対は円筒部の高さに沿って分離される。ガイドスロットの各々は、約１８０度にわたって延在し得る。
【００１６】
シェルは第１の半部及び第２の半部を含み、第１及び第２の半部はキャリアの両側に配置された複数の光源を有するキャリアを囲む。光源は、半導体発光ダイオード、有機発光ダイオード、ポリマー発光ダイオード等のＳＳＬ装置であり得る。光源はレーザダイオードであり得る。
【００１７】
本発明は、特許請求の範囲に記載された特徴の全ての可能な組み合わせに関する。
【図面の簡単な説明】
【００１８】
以下の図は、例示的な目的のために含まれる。
【００１９】
【図１ａ】回転調整可能なランプの例のベース及びシェルの概略図である。
【図１ｂ】回転調整可能なランプの例のベース及びシェルの概略図である。
【図１ｃ】回転調整可能なランプの例のベース及びシェルの概略図である。
【図２】回転調整可能なランプのためのベース及びシェルの更なる例の概略図である。
【図３】回転調整可能なランプのためのベース及びシェルの更なる例の概略図である。
【図４】回転調整可能なランプの概略図である。
【図５】回転調整可能なランプの概略図である。
【図６】回転調整可能なランプの製造方法の一部の工程を示すフローチャートである。
【００２０】
縮尺通りに描かれてはいないが、これらの図面では、同様の又は同一の要素は同じ参照番号で示される。
【発明を実施するための形態】
【００２１】
以下、添付の図面を参照して、本発明の好ましい実施形態を詳細に説明する。しかし、多くの様々な形態で具体化されてもよく、本明細書に記載の実施形態に限定されるものと解釈されるべきではない。むしろ、これらの実施形態は、徹底性及び完全性のために提供され、本発明の範囲を当業者に完全に伝える。
【００２２】
図１ａは、回転調整可能なランプのいくつかの構成要素の概略斜視図である。図１ａは、ランプソケット（図示せず）に接続するベース２を示す。ベース２は、プラスチック及び／又は金属を含み得る。典型的には、ベース２は、中空であり、高さ方向Ｈ及び半径方向Ｒを画定する実質的に円柱の形状を有する。ベース２は、ベース２がランプソケット内にねじ込まれることを可能にするスレッド３を有し得る。ベース２は、電源に電気的に接続される底部４を有することができる。ベース２は、通常、半径方向内側、すなわちベース２の内側に向かって突出する少なくとも１つのノッチ５を備える。図１のベース２は、底部４とは反対側のベース２の端部で２つのノッチ５を有し、したがってスレッド３は、高さ方向Ｈで見て、ノッチ５と底部４との間に配置される。ノッチ５は、互いに直径方向に対向して配置され得る。
【００２３】
ベース２は、シェル６を受け入れる。シェル６は、射出成形され得る。シェル６は、例えば、金属、熱可塑性プラスチック及び／又は熱硬化性ポリマーで作られることができる。シェル６は、例えばＳＳＬ装置等の、１つ以上の光源のための光透過性ハウジングを形成し得る。１つ以上の光源は、半導体発光ダイオード、有機発光ダイオード、ポリマー発光ダイオード又はレーザダイオードであり得る。代わりに、シェル６は、１つ以上の光源のためのハウジングを支持してもよい。このようなハウジングは、接着剤等の化学的手段、又は、釘、ねじ若しくはクリップ等の機械的手段によってシェル６に取り付けられ得る。シェル６は、ハウジングがシェル６にねじ込まれるように、スレッドを備えてもよい。半田付けは、ハウジングをシェル６に取り付けるために使用されてもよい。
【００２４】
シェル６は、少なくとも１つのガイドスロット７ａを有する。ガイドスロット７ａは、シェル６の円筒部８に配置され、円筒部８は、ベース２内に挿入可能である。ガイドスロット７ａは、典型的には、円筒部８の周囲に沿って延在し、円筒部８の高さに対して実質的に垂直である。ガイドスロット７ａは、円筒部８の周りの任意の角度、例えば約２７０度、約１８０度又は約９０度にわたって延在し得る。図１ａのシェル６は、追加のガイドスロット７ｂを有し、２つのガイドスロット７ａ、７ｂが共に一対の対向して配置されたガイドスロットを形成する。図１ａのガイドスロット７ａ、７ｂの各々は、円筒部８の円周に沿って約１８０度延在する。
【００２５】
図１ｂは、図１ａのベース２とシェル６とを組み立てた概略斜視図を示す。シェル６の円筒部８は、ガイドスロット７ａ、７ｂがベース２によって囲まれるように、ベース２内に挿入されて示される。ノッチ５は、シェル６がベース２に対して回転可能になるように、ガイドスロット７ａ、７ｂ内に突出し、ガイドスロット７ａ、７ｂに沿って移動可能である。したがって、ベース２とシェル６との間の相対的な回転位置は調整され得る。
【００２６】
図１ｃは、高さ方向Ｈから見た図１ｂのベース２及びシェル６の断面を概略的に示す。ノッチ５が移動可能な２つの半円形の経路が明確に示される。シェル６は、ノッチ５がガイドスロットの端部９に達するまで、高さ方向Ｈの軸を中心に時計回り又は反時計回りに回転され得る。
【００２７】
図２は、図１ａ‐図１ｃのものと同様のベース２及びシェル６の概略斜視図を示す。しかし、図２のシェル６は、シェル６の円筒部８上に、対向して配置された追加の一対のガイドスロット７ａ’、７ｂ’を有する。したがって、シェル６には、４つのガイドスロット７ａ、７ｂ、７ａ’、７ｂ’を備える。ガイドスロット７ａ、７ｂ、７ａ’、７ｂ’は、円筒部８の高さに沿って互いに分離された第１の対７ａ、７ｂ及び第２の対７ａ’、７ｂ’を形成する。図２のガイドスロット７ａ、７ｂ、７ａ’、７ｂ’は、円筒部８の周りに約１８０度延在する。
【００２８】
ベース２は、４つのノッチ５を有し、各ノッチは、シェル６がベース２内に挿入されると、対応するガイドスロット内に突出するように設けられる。図２に示されるように、４つのノッチ５は、２つの直径方向に対向するノッチ５の対で設けられる。２対のノッチ５は、高さ方向Ｈに沿って分離され、高さ方向Ｈの軸を中心として互いに約９０度回転される。同様に、追加の対のガイドスロット７ａ’、７ｂ’は、他の対のガイドスロット７ａ、７ｂに対して、高さ方向Ｈの軸を中心として互いに約９０度回転され得る。
【００２９】
図３は、ベース２の全体の周りに延在するリング状の凹部１０を有するベース２の概略斜視図を示す。凹部１０は、ノッチ５が凹部１０と底部４との間に位置するように、底部４の反対側の端部に位置する。シェル６は、シェル６の円筒部８の全周に延在する円形のスロット１１を備える。凹部１０は、シェル６がベース２内に挿入されると円形スロット１１によって受け入れられ、その結果、より安定したベース及びシェルアセンブリとなる。
【００３０】
図４は、回転調整可能なランプ１の概略分解図である。図４のシェル６は、第１の半部６ａ及び第２の半部６ｂを含み、各半部は中空リッジ１３で囲まれた平坦な中央エリア１２を有する。第１の半部６ａはガイドスロット７ａを備え、第２の半部６ｂはガイドスロット７ｂを備える。ランプ１は、少なくとも１つの光源１５を支持するためのキャリア１４を有する。キャリア１４は、回路基板、例えばプリント回路基板であり得る。キャリア１４は、２つの対向する側面１４ａ、１４ｂを有する実質的に平坦な形状を有し得る。少なくとも１つの光源１５が、キャリア１４上に配置される。図４において、いくつかの光源１５は、キャリア１４の周囲１８の湾曲部に沿ってキャリア１４上に配置される。図４の光源１５は、対向する２つの側面１４ａ、１４ｂの両方に配置されるが、これは必要ではない。光源１５は、側面１４ａ、１４ｂのうちの１つのみに配置され得る。光源１５は、接続部１６を介して電気的に接続される。光源１５は、典型的には、半導体発光ダイオード、有機発光ダイオード又はポリマー発光ダイオードのようなＳＳＬ装置である。光源１５は、レーザダイオードであり得る。ランプ１は、ドライバ回路１９を含み得る。ドライバ回路１９は、ワイヤ２１を介してキャリア１４に接続された別個の回路基板２０上に配置され得る。
【００３１】
図５は、ベース２内にシェル６が挿入され、組み立てられた構成の図４の回転調整可能なランプ１の概略断面図の斜視図である。第１の半部６ａ及び第２の半部６ｂは、ランプ１の縦軸Ｌに平行な平面に含まれる接合部１７に沿って共に取り付けられる。縦軸Ｌは、高さ方向Ｈと平行であり、図５に示される向きにおいては、接合部１７は垂直である。第１の半部６ａ及び第２の半部６ｂは、接着剤等の化学的手段又は釘、ねじ若しくはクリップ等の機械的手段によって互いに取り付けられ得る。第１の半部６ａ及び第２の半部６ｂは、共に半田付けされてもよい。第１の半部６ａを第２の半部６ｂに取り付けるために、溶接、例えば超音波溶接が使用され得る。第１の半部６ａ及び第２の半部６ｂは、光源１５が中空リッジ１３の内側に位置するように、キャリア１４を囲む。
【００３２】
ランプ１が使用されているとき、電気は底部４、ドライバ回路１９及び接続部１６を介して光源１５に送られ、それによって光が放射される。放射された光は、シェル６を透過し、照明を提供する。ノッチ５は、シェル６がベース２に対して回転可能になるように、シェル６のガイドスロット７ａ、７ｂ内に突出し、移動可能である。
【００３３】
図１乃至図５の回転調整可能なランプ１は、図６を参照して以下に説明する方法によって製造されることができる。Ｓ１において、ガイドスロット７ａを有するシェル６が、例えば射出成型によって成形される。成形されたシェル６は、ガイドスロット７ａが延在する円周に沿って円筒部８を有し得る。ガイドスロット７ａは、例えば、円筒部８の円周に沿って約１８０度延在し得、典型的には円筒部８の高さに垂直に延在し得る。
【００３４】
成形中に、１つ以上のガイドスロットがシェル６内に形成され得る。例えば、円筒部８は追加のガイドスロット７ｂを備える。追加のガイドスロット７ｂは、２つのガイドスロット７ａ、７ｂが対向して配置された一対のガイドスロットを形成するように、円筒部８上に配置され得る。別の例によれば、円筒部８は４つのガイドスロット７ａ、７ｂ、７ａ’、７ｂ’を備える。４つのガイドスロット７ａ、７ｂ、７ａ’、７ｂ’は、第１の対７ａ、７ｂ及び追加の対７ａ’、７ｂ’を形成するように、円筒部８上に配置され得、各対の２つのガイドスロットは、円筒部８上に対向するように配置され、２つの対は円筒部８の高さに沿って分離されている。更に別の例によれば、成形中にシェル６内に円形スロット１１が形成される。このような円形スロット１１は、シェル６の円筒部８の全周に延在し得る。
【００３５】
Ｓ２において、ベース２が提供される。ベース２は、シェル６を受け入れ、ランプソケットに接続する。典型的には、ベース２はスレッド３を含み、ランプソケットにねじ込まれる。シェル６が円形スロット１１を有する場合、提供されるベース２は、シェル６がベース２内に挿入されると、円形スロット１１によって受け入れられる凹部１０を有する。もちろん、Ｓ１及びＳ２は、任意の順序で実行され得る。
【００３６】
Ｓ３において、シェル６は、ガイドスロット７ａがベース２によって囲まれるように、ベース２内に挿入される。これは、例えば、高さ方向Ｈ内の円筒部８をベース２内に押し込むことによって達成され得る。
【００３７】
Ｓ４において、ベース２内にノッチ５が形成される。ノッチ５は、ノッチ５がガイドスロット７ａ内に突出するような位置で、ベース２を内側に、すなわち挿入されたシェル６に向かって押すことによって形成され得、シェル６及びベース２が互いに相対的に回転可能になるように、ガイドスロット７ａに沿って移動可能である。Ｓ４はＳ３の後に実行される、すなわちノッチ５は、シェル６をベース２内への挿入後に形成されることに留意されたい。シェル６が１つ以上のガイドスロットを有する場合、各ガイドスロットに対して少なくとも１つのノッチ５が形成される。
【００３８】
上述の製造方法は、図６に示されたもの以外の追加のことを含み得る。例えば、シェル６の成形は、第１の半部６ａ及び第２の半部６ｂを成形することを含み得、これらはシェル６を形成するためにその後共に取り付けられる。この製造方法はまた、少なくとも１つの光源１５を有するキャリア１４を提供することと、第１の半部６ａと第２の半部６ｂとの間にキャリア１４を囲むこととを含み得る。キャリア１５は、回路基板、例えばプリント回路基板であり得る。光源１５は、典型的には、ＳＳＬ装置、例えば半導体発光ダイオード、有機発光ダイオード又はポリマー発光ダイオードである。光源１５は、レーザダイオードであり得る。シェル２をベース２内に挿入すること、すなわちＳ３は、２つの半部６ａ、６ｂによってキャリア１４を囲み、２つの半部６ａ、６ｂを互いに取り付けることの後に実行される。第１の半部６ａ及び第２の半部６ｂは、接着剤等の化学的手段又は釘、ねじ若しくはクリップ等の機械的手段によって互いに取り付けられ得る。半田付けは、第１の半部６ａを第２の半部６ｂに取り付けるために使用され得る。
【００３９】
当業者は、本発明が、上述の好ましい実施例に決して限定されないことを理解する。むしろ、添付の請求項の範囲内で多くの改良及びバリエーションが可能である。例えば、シェルは３つ以上の対のガイドスロットを有し得る。
【００４０】
更に、当業者によって、特許請求された発明を実施するにあたり、図面、明細書、及び添付の請求項の研究から、開示された実施形態のバリエーションが理解され達成され得る。請求項において、「含む」の文言は他の要素又はことを除外するものではなく、不定冠詞「ａ」又は「ａｎ」は複数を除外するものではない。特定の手段が、相互に異なる従属請求項に記載されているという単なる事実は、これらの手段の組み合わせを有利に用いることができないことを意味するわけではない。
【図１ａ】
0006703518.tif 000002
【図１ｂ】
0006703518.tif 000003
【図１ｃ】
0006703518.tif 000004
【図２】
0006703518.tif 000005
【図３】
0006703518.tif 000006
【図４】
0006703518.tif 000007
【図５】
0006703518.tif 000008
【図６】
0006703518.tif 000009